(57)【要約】【課題】脚を棚板に所定の向きで強固にかつ容易に取り付けることができる鍵盤楽器の脚取付構造を提供する。【解決手段】鍵盤３を載置する棚板４に脚７を取り付ける鍵盤楽器の脚取付構造であって、棚板４の左右方向の端部には、上下方向に貫通する取付孔８ａが形成されており、脚７の上面に固定され、棚板４よりも上方に突出した状態で、取付孔８ａに挿通された取付ボルト２０と、取付ボルト２０にねじ込まれ、締め付けられることにより、脚７を棚板４に固定するナット２３と、を備えている。【選択図】　図２
2004094121.tif 000002
【特許請求の範囲】
【請求項１】
鍵盤を載置する棚板に脚を取り付ける鍵盤楽器の脚取付構造であって、
前記棚板の左右方向の端部には、上下方向に貫通する取付孔が形成されており、
前記脚の上面に固定され、前記棚板よりも上方に突出した状態で、前記取付孔に挿通された取付ボルトと、
前記取付ボルトにねじ込まれ、締め付けられることにより、前記脚を前記棚板に固定するナットと、
を備えていることを特徴とする鍵盤楽器の脚取付構造。
【請求項２】
前記棚板は、楽器本体に設けられた棚板止木に下方から固定されることによって、前記楽器本体に取り付けられており、
前記棚板止木は、前記取付孔に連続する挿通孔と、当該挿通孔に連続し、上方に開放する収容凹部とを有し、
前記ナットは、前記収容凹部内に収容されていることを特徴とする、請求項１に記載の鍵盤楽器の脚取付構造。
【請求項３】
前記脚は、鉛直方向の軸線回りに所定の角度で取り付けられるべき方向性を有していることを特徴とする、請求項１または２に記載の鍵盤楽器の脚取付構造。
【発明の詳細な説明】
【０００１】
【発明の属する技術分野】
本発明は、楽器本体を床上に支持するための脚を、鍵盤を載置する棚板に取り付ける鍵盤楽器の脚取付構造に関する。
【０００２】
【従来の技術】
従来のアップライトピアノには、棚板の下面の左右端部の前部（以下、演奏者の手前側を「前側」とする）に、ピアノ本体を支持するための一対の棚受柱を取り付けたものがある。図７に示すように、このアップライトピアノでは、金属製の棚板５１が、左右一対の腕木５２、５２の間に配置されており、その左右端部が、腕木５２、５２の内面に取り付けられた棚板止木５３、５３に、ねじ５１ａ、５１ａによってそれぞれ固定されている（同図には右端部のみ図示）。また、棚板５１の左右端部にはそれぞれ、溶接金具５４が側方に突出するように取り付けられており、各溶接金具５４には、上下方向に貫通するねじ孔５４ａが形成されている。各棚受柱５５は曲線状に形成されている。また、棚受柱５５の上面には、取付ボルト５６が上方に突出した状態で埋め込まれ、固定されている。
【０００３】
以上の構成の棚受柱５５は、棚板５１に次のようにして取り付けられる。すなわち、棚受柱５５全体を回転させながら、取付ボルト５６を溶接金具５４のねじ孔５４ａにねじ込み、締め付けることによって、棚受柱５５が取り付けられる。また、棚受柱５５は、曲線状に形成されており、所定の向きで棚板５１に取り付ける必要がある。これに対して、取付ボルト５６が棚受柱５５と一体であることから、取付ボルト５６をねじ孔５４ａに完全に締め付けたときに、棚受柱５５が所定の向きになるのは極めてまれなので、通常、その修正作業が次のように行われる。すなわち、取付ボルト５６を緩め、棚受柱５５を所定の向きに合わせた後、その向きを保ちながら、例えば計３本の固定ねじ（図示せず）を棚板止木５３を介して棚受柱５５にねじ込み、締め付ける。以上により、棚受柱５５が所定の向きに保持された状態で棚板５１に取り付けられる。
【０００４】
【発明が解決しようとする課題】
しかし、上述した従来のアップライトピアノでは、棚受柱５５を棚板５１に取り付けるための溶接金具５４が棚板５１に別個に取り付けられているので、その分、部品点数が増加してしまう。また、取付ボルト５６を最後まで締め付けたときに棚受柱５５が所定の向きでないときには、その状態から取付ボルト５６を緩める必要があるので、棚受柱５５と棚板５１の間に隙間が生じてしまい、その結果、棚受柱５５ががたつきやすい。さらに、棚受柱５５を所定の向きに保持するために、固定ねじを棚受柱５５にねじ込まなければならないので、棚受柱５５の取付作業が非常に煩雑である。以上のような、部品点数の増加および棚受柱５５の取付作業の煩雑化により、アップライトピアノの製造コストが高くなってしまう。また、棚受柱５５の上面に、取付ボルト５６を埋め込むことに加え、計３本もの固定ねじがねじ込まれることから、棚受柱５５の上端部の断面積が減少するので、その強度を十分に確保できないおそれがある。
【０００５】
本発明は、上記課題を解決するためになされたものであり、脚を棚板に所定の向きで強固にかつ容易に取り付けることができる鍵盤楽器の脚取付構造を提供することを目的とする。
【０００６】
【課題を解決するための手段】
この目的を達成するため、請求項１による発明は、鍵盤を載置する棚板に脚を取り付ける鍵盤楽器の脚取付構造であって、棚板の左右方向の端部には、上下方向に貫通する取付孔が形成されており、脚の上面に固定され、棚板よりも上方に突出した状態で、取付孔に挿通された取付ボルトと、取付ボルトにねじ込まれ、締め付けられることにより、脚を棚板に固定するナットと、を備えていることを特徴とする。
【０００７】
この楽器の脚取付構造によれば、脚の上面に固定された取付ボルトを、棚板に形成された取付孔に挿通させ、棚板よりも上方に突出する取付ボルトに、ナットをねじ込み、締め付けることによって、脚が棚板に取り付けられる。したがって、脚を棚板に密着させた状態で強固に取り付けることができる。また、棚板から上方に突出する取付ボルトに、ナットを上方からねじ込み、締め付けるだけでよいので、脚を棚板に容易に取り付けることができる。さらに、脚を取り付けるための取付孔が棚板に形成されているので、そのための従来の溶接金具は不要になり、その分、部品点数を削減できる。
【０００８】
請求項２に係る発明は、請求項１に記載の鍵盤楽器の脚取付構造において、棚板は、楽器本体に設けられた棚板止木に下方から固定されることによって、楽器本体に取り付けられており、棚板止木は、取付孔に連続する挿通孔と、挿通孔に連続し、上方に開放する収容凹部とを有し、ナットは、収容凹部内に収容されていることを特徴とする。
【０００９】
この構成によれば、棚板を楽器本体に取り付けるための棚板止木に、取付孔に順に連続する挿通孔および収容凹部が形成されており、ナットは、この収容凹部内に突出した取付ボルトに上方からねじ込まれ、収容凹部内に収容されている。このため、脚の取付用のナットを、既存の棚板止木を利用しながら、棚板止木から突出させずに、コンパクトに配置することができる。
【００１０】
請求項３に係る発明は、請求項１または２に記載の鍵盤楽器の脚取付構造において、脚は、鉛直方向の軸線回りに所定の角度で取り付けられるべき方向性を有していることを特徴とする。
【００１１】
この構成によれば、脚が鉛直方向の軸線回りに所定の角度で取り付けられるべき方向性を有している。このような場合、取付ボルトを取付孔に挿通させた後、ナットを締め付ける前に、脚を取り付けられるべき所定の角度に調節するだけで、脚を所定の向きで容易に取り付けることができる。その結果、脚を所定の向きに保持するための従来の固定ねじが不要になるので、脚の強度を十分に確保できるとともに、脚の取付作業を簡略化できる。
【００１２】
【発明の実施の形態】
以下、図面を参照しながら、本発明の好ましい実施形態を詳細に説明する。図１は、本発明を適用したアップライトピアノを示している。このアップライトピアノでは、従来のものと同様、ピアノ本体１（楽器本体）の左右端部に設けられた一対の腕木２、２の間に、鍵盤３を載置するための棚板４が配置されている。具体的には、図２に示すように、棚板４は、腕木２、２の内面に固定された左右の棚板止木５、６（図４および図５参照）に固定されている。また、棚板４の下面の左右の前端部には、ピアノ本体１を支持するための一対の棚受柱７、７（脚）が取り付けられている。
【００１３】
棚板４は、金属製のものであり、図３に示すように、左右方向に延びる前後一対の棚板レール８、８と、複数（例えば６本）の棚板中束９とを組み立てることによって、井桁状に構成されている。各棚板レール８および各棚板中束９は、「ロ」の字状の断面を有し、中空状に形成されている。前側の棚板レール８の左右端部には、その上壁および下壁を上下方向に貫通するように、棚受柱７を取り付けるための取付孔８ａがそれぞれ形成されている。取付孔８ａは、後述する取付ボルト２０よりも若干大きな所定の径を有している。外側の棚板中束９、９の前部には、取付孔８ａの付近に、その上壁および下壁を上下方向に貫通するように、棚板４を両棚板止木５、６に固定するための棚板取付孔９ａがそれぞれ形成されている。
【００１４】
図４および図５に示すように、左右の棚板止木５、６は、矩形状のものであり、左棚板止木５は、右棚板止木６よりも、左右方向の幅が長い。これは、それらの上にそれぞれ載せられた状態で設けられる左右の拍子木２５、２６の幅の相違に対応したものである。左棚板止木５の左前端部には、棚板４の取付孔８ａに対応する位置に、棚受柱７を取り付けるための挿通孔１０が、上下方向に貫通するように形成されている。挿通孔１０は、棚板４の取付孔８ａと同じ径を有している。また、左棚板止木５には、後述するナット２３を収容するための収容凹部１１が、挿通孔１０の上方に連続し、上方に開放するように形成されている。さらに、左棚板止木５には、棚板４の棚板取付孔９ａに対応する位置に、棚板４を取り付けるための下孔１２が形成されている。また、左棚板止木５には、左右方向に貫通する計３つのねじ止め孔１３が、その前後方向の中心とその前後に等間隔に並んで形成されている。前側のねじ止め孔１３は、収容凹部１１のすぐ後ろ側に重ならないように配置されている。各ねじ止め孔１３は、腕木２側の小径部１３ａと、座ぐり部１３ｂを介して小径部１３ａに連続する大径部１３ｃによって構成されている。
【００１５】
同様に、右棚板止木６には、取付孔８ａに対応する位置に挿通孔１０および収容凹部１１が、棚板取付孔９ａに対応する位置に下孔１２がそれぞれ形成されている。また、右棚板止木６には、左右方向に貫通する計３つのねじ止め孔１３が、前後方向に等間隔に並んで形成されている。
【００１６】
以上の構成により、棚板４は、次のようにして一対の腕木２、２間に固定される。まず、左右の棚板止木５、６の各ねじ止め孔１３にタッピングねじ（図示せず）を通して腕木２にねじ込み、さらに接着剤を併用することによって、左右の棚板止木５、６を腕木２の所定位置に固定する。次に、棚板４の各取付孔８ａおよび各棚板取付孔９ａを対応する棚板止木５、６の挿通孔１０および下孔１２にそれぞれ合致させた状態で、タッピングねじ（図示せず）を、棚板取付孔９ａを介して下孔１２にねじ込み、締め付ける。以上により、棚板４が左右の棚板止木５、６を介して腕木２、２に固定される。この状態では、棚板４は、その前面が腕木２の前面よりも後ろ側に位置するとともに、その下面が腕木２の下面と面一になる。
【００１７】
棚受柱７は、木材で構成され、図６に示すように、鉛直方向の軸線に対して非対称な装飾的な所定の曲線形状を有しており、このため、鉛直方向の軸線回りに所定の角度で取り付けられるべき方向性を有している。棚受柱７の上面には、取付ボルト２０が埋め込まれている。取付ボルト２０は、その下部にピッチが比較的大きなタッピングねじ部２０ａを、その上部に、ピッチがより小さな機械ねじ部２０ｂをそれぞれ有しており、タッピングねじ部２０ａが棚受柱７の上面にねじ込まれ、機械ねじ部２０ｂが上方に突出している。この突出量は、棚板４と左右の棚板止木５、６との厚さの和よりも若干小さな値に設定されている。
【００１８】
以上の構成の棚受柱７は、棚板４に次のようにして取り付けられる。すなわち、取付ボルト２０を棚板４の取付孔８ａおよび棚板止木５、６の挿通孔１０に挿通させ、収容凹部１１内に突出させ、取付ボルト２０にワッシャ２１およびスプリングワッシャ２２をはめる。次に、棚受柱７が取り付けられるべき所定の向きになるようにその角度を調節する。そして、棚受柱７を調節した角度に保持したまま、収容凹部１１内に突出した取付ボルト２０に、ナット２３を、上方からねじ込み、ワッシャ２１およびスプリングワッシャ２２を介して締め付けることにより、棚受柱７が棚板４に取り付けられる。
【００１９】
以上のように、本実施形態によれば、収容凹部１１内に突出した取付ボルト２０に、ナット２３が上方からねじ込まれ、締め付けられるので、棚受柱７を棚板４に密着させた状態で強固に取り付けることができる。また、棚受柱７の棚板４への取付は、取付孔８ａおよび挿通孔１０に挿通させた取付ボルト２０に、ナット２３を上方から締め付けるだけで、容易に行うことができる。さらに、棚受柱７を取り付けるための取付孔８ａが棚板４に形成されているので、そのための従来の溶接金具は不要になり、その分、部品点数を削減できる。また、取付ボルト２０にねじ込まれたナット２３が収容凹部１１内に収容されるので、棚受柱７の取付用のナット２３を、既存の棚板止木５、６を利用しながら、両棚板止木５、６から突出させずに、コンパクトに配置することができ、その上に拍子木２５、２６を支障なく設けることができるとともに、取付ボルト２０およびナット２３が拍子木２５、２６に覆われるので、外観にも全く影響を及ぼさない。さらに、取付ボルト２０を挿通孔１０および取付孔８ａに挿通させた後、ナット２３を締め付ける前に、棚受柱７を所定の角度に調節するだけで、棚受柱７を所定の向きで容易に取り付けることができる。その結果、棚受柱７を所定の向きに保持するための従来の固定ねじが不要になるので、棚受柱７の強度を十分に確保できるとともに、棚受柱７の取付作業を簡略化することができる。
【００２０】
なお、本発明は、説明した実施形態に限定されることなく、種々の態様で実施することができる。例えば、本実施形態では、本発明をアップライトピアノに適用しているが、本発明は、他の鍵盤楽器に適用することが可能であり、特に、装飾が施されることにより、脚が取り付けられるべき方向性を有する鍵盤楽器、例えばチェンバロなどに適用することによって、本発明の効果をより有効に得ることができる。また、実施形態における脚の取付の方向性は、その形状の非対称性によるものであるが、これに限らず、その模様や色彩などの非対称性により取付の方向性を有する脚に、本発明を適用してもよい。さらに、実施形態の棚受柱７は、その下面が接地するタイプのものであるが、下端部が妻土台に取り付けられるタイプの棚受柱に本発明を適用してもよい。また、実施形態の棚板４は、金属製のものであるが、木製のものでもよいことは勿論である。その他、本発明の趣旨の範囲内で、細部の構成を適宜、変更することが可能である。
【００２１】
【発明の効果】
以上のように、本発明の鍵盤楽器の脚取付構造によれば、脚を棚板に所定の向きで強固にかつ容易に取り付けることができるなどの効果を有する。
【図面の簡単な説明】
【図１】本発明を適用したアップライトピアノの斜視図である。
【図２】ピアノ本体および棚受柱の右端部を示す部分正面図である。
【図３】棚板の平面図である。
【図４】左棚板止木の平面図である。
【図５】右棚板止木の平面図である。
【図６】棚受柱の正面図である。
【図７】従来のピアノ本体および棚受柱の右端部を示す部分正面図である。
【符号の説明】
１　ピアノ本体（楽器本体）
３　鍵盤
４　棚板
５　左棚板止木
６　右棚板止木
７　棚受柱（脚）
８ａ　取付孔
１０　挿通孔
１１　収容凹部
２０　取付ボルト
２３　ナット
【図１】
2004094121.tif 000003
【図２】
2004094121.tif 000004
【図３】
2004094121.tif 000005
【図４】
2004094121.tif 000006
【図５】
2004094121.tif 000007
【図６】
2004094121.tif 000008
【図７】
2004094121.tif 000009